(57)【要約】【課題】通信量を抑制しつつ保留サービスを実現することが可能なＩＰ電話網における通信方法を提供する。【解決手段】ＩＰ電話網１における通信方法は、サーバ３０Ａ，４０，３０Ｃを介して一の電話端末１０Ａに接続されたＩＰ変換装置２０Ａと他の電話端末に接続されたＩＰ変換装置との間にＳＩＰセッションが確立されて一の電話端末１０Ａと他の電話端末とが通話可能な状態において、一の電話端末１０Ａが、切断信号をＩＰ変換装置２０Ａへ送信するステップと、ＩＰ変換装置２０Ａが、切断信号を受信し、他の電話端末が特定電話端末１０Ｃであるか否かを判定するステップと、他の電話端末が特定電話端末１０Ｃであると判定された場合に、ＳＩＰセッションが確立されたＩＰ変換装置２０Ａ，２０Ｃ及びサーバ３０Ａ，４０，３０Ｃが、ＳＩＰセッションを保留状態とするステップと、を含むことを特徴とする。【選択図】図３
2011119881.tif 000002
【特許請求の範囲】
【請求項１】
電話端末と、当該電話端末と通信可能に接続されたＩＰ変換装置と、前記ＩＰ変換装置と通信可能に接続されたサーバと、を備えるＩＰ電話網における通信方法であって、
前記サーバを介して一の前記電話端末に接続された前記ＩＰ変換装置と他の前記電話端末に接続された前記ＩＰ変換装置との間に通話セッションが確立されて前記一の電話端末と前記他の電話端末とが通話可能な状態において、
前記一の電話端末が、切断信号を前記一の電話端末に接続された前記ＩＰ変換装置へ送信するステップと、
前記一の電話端末に接続された前記ＩＰ変換装置が、前記切断信号を受信し、前記他の電話端末が特定電話端末であるか否かを判定するステップと、
前記他の電話端末が特定電話端末であると判定された場合に、前記通話セッションが確立された前記ＩＰ変換装置及び前記サーバが、当該通話セッションを保留状態とするステップと、
を含むことを特徴とするＩＰ電話網における通信方法。
【請求項２】
前記一の電話端末に接続された前記ＩＰ変換装置と前記特定電話端末に接続された前記ＩＰ変換装置との間に確立された前記通話セッションが保留状態である場合において、
前記一の電話端末が、再接続信号を前記一の電話端末に接続された前記ＩＰ変換装置へ送信するステップと、
前記一の電話端末に接続された前記ＩＰ変換装置が、前記再接続信号を受信し、前記再接続信号に応じた更新信号を保留状態である前記通話セッションを介して前記特定電話端末に接続された前記ＩＰ変換装置へ送信するステップと、
前記特定電話端末に接続された前記ＩＰ変換装置が、前記更新信号を受信し、再接続に関する通知信号を前記特定電話端末に送信するステップと、
を含むことを特徴とする請求項１に記載のＩＰ電話網における通信方法。
【請求項３】
前記一の電話端末に接続された前記ＩＰ変換装置と前記特定電話端末に接続された前記ＩＰ変換装置との間に確立された前記通話セッションが保留状態である場合において、
前記特定電話端末が、再呼出信号を前記特定電話端末に接続された前記ＩＰ変換装置へ送信するステップと、
前記特定電話端末に接続された前記ＩＰ変換装置による前記再呼出信号の受信に応じて、前記一の電話端末に接続された前記ＩＰ変換装置が、呼出信号を前記一の電話端末へ送信するステップと、
前記一の電話端末が、再接続信号を前記一の電話端末に接続された前記ＩＰ変換装置へ送信するステップと、
前記一の電話端末に接続された前記ＩＰ変換装置が、前記再接続信号を受信し、前記再接続信号に応じた更新信号を保留状態である前記通話セッションを介して前記特定電話端末に接続された前記ＩＰ変換装置へ送信するステップと、
前記特定電話端末に接続された前記ＩＰ変換装置が、前記更新信号を受信し、再接続に関する通知信号を前記特定電話端末に送信するステップと、
を含むことを特徴とする請求項１又は請求項２に記載のＩＰ電話網における通信方法。
【請求項４】
前記再接続信号は、オフフック信号である
ことを特徴とする請求項２又は請求項３に記載のＩＰ電話網における通信方法。
【請求項５】
前記サーバを介して前記一の電話端末に接続された前記ＩＰ変換装置と前記他の電話端末に接続された前記ＩＰ変換装置との間に前記通話セッションが確立されて前記一の電話端末と前記他の電話端末とが通話可能な状態、又は、前記一の電話端末に接続された前記ＩＰ変換装置と前記特定電話端末に接続された前記ＩＰ変換装置との間に確立された前記通話セッションが保留状態である場合において、
前記特定電話端末が、切断信号を前記特定電話端末に接続された前記ＩＰ変換装置へ送信するステップと、
前記特定電話端末に接続された前記ＩＰ変換装置による前記切断信号の受信に応じて、前記通話セッションが確立された前記ＩＰ変換装置及び前記サーバが、当該通話セッションを切断するステップと、
を含むことを特徴とする請求項１から請求項４のいずれか一項に記載のＩＰ電話網における通信方法。
【請求項６】
前記一の電話端末に接続された前記ＩＰ変換装置と前記特定電話端末に接続された前記ＩＰ変換装置との間に確立された前記通話セッションが保留状態である場合において、
前記一の電話端末に接続された前記サーバが、前記一の電話端末から送信されたさらに他の電話端末への発呼信号を受信した場合には、前記さらに他の電話端末に接続された前記サーバへの前記発呼信号の送信を抑止する
ことを特徴とする請求項１から請求項５のいずれか一項に記載のＩＰ電話網における通信方法。
【請求項７】
前記一の電話端末に接続された前記ＩＰ変換装置と前記特定電話端末に接続された前記ＩＰ変換装置との間に確立された前記通話セッションが保留状態である場合において、
前記一の電話端末に接続された前記サーバが、さらに他の電話端末から送信された前記一の電話端末への発呼信号を受信した場合には、前記一の電話端末に接続された前記ＩＰ変換装置への前記発呼信号の送信を抑止する
ことを特徴とする請求項１から請求項６のいずれか一項に記載のＩＰ電話網における通信方法。
【発明の詳細な説明】
【技術分野】
【０００１】
本発明は、ＩＰ電話網における通信方法に関し、より詳細には、警察署、消防署等に設置された特定電話端末を含むＩＰ電話網における通信方法に関する。
【背景技術】
【０００２】
ＩＰ電話網において、従来の回線交換網における通話保留サービスを実現することが行われている（特許文献１参照）。
特許文献１に記載されたシステムは、発端末が発呼信号を送信すると、着端末に接続された着側ノードが保留サービス対象からの発呼であるか否かを判定し、保留サービス対象からの発呼であると判定した場合に、その旨を発端末に接続された発側ノードへ送信することによって保留サービスを実現していた。
【先行技術文献】
【特許文献】
【０００３】
【特許文献１】特開２００４−３２０６４９号公報
【発明の概要】
【発明が解決しようとする課題】
【０００４】
かかるＩＰ電話網においては、回線上の各装置の負担を低減するため、通信量を抑制することが望まれている。
【０００５】
本発明は、前記した事情に鑑みて創案されたものであり、通信量を抑制しつつ保留サービスを実現することが可能なＩＰ電話網における通信方法を提供することを課題とする。
【課題を解決するための手段】
【０００６】
前記課題を解決するため、本発明は、電話端末と、当該電話端末と通信可能に接続されたＩＰ変換装置と、前記ＩＰ変換装置と通信可能に接続されたサーバと、を備えるＩＰ電話網における通信方法であって、前記サーバを介して一の前記電話端末に接続された前記ＩＰ変換装置と他の前記電話端末に接続された前記ＩＰ変換装置との間に通話セッションが確立されて前記一の電話端末と前記他の電話端末とが通話可能な状態において、前記一の電話端末が、切断信号を前記一の電話端末に接続された前記ＩＰ変換装置へ送信するステップと、前記一の電話端末に接続された前記ＩＰ変換装置が、前記切断信号を受信し、前記他の電話端末が特定電話端末であるか否かを判定するステップと、前記他の電話端末が特定電話端末であると判定された場合に、前記通話セッションが確立された前記ＩＰ変換装置及び前記サーバが、当該通話セッションを保留状態とするステップと、を含むことを特徴とする。
【０００７】
かかる構成によると、特定電話端末との通話において、一の電話端末が切断信号を送信した場合にのみＩＰ変換装置が特定呼判定を行うので、特定電話端末側のＩＰ変換装置又はサーバが常に特定呼判定を行い、特定呼である場合にその旨を一の電話端末に接続されたＩＰ変換装置へ必ず送信する従来技術と比べて、通信量を抑制しつつ保留サービスを実現することができる。
【０００８】
前記ＩＰ電話網における通信方法は、前記一の電話端末に接続された前記ＩＰ変換装置と前記特定電話端末に接続された前記ＩＰ変換装置との間に確立された前記通話セッションが保留状態である場合において、前記一の電話端末が、再接続信号を前記一の電話端末に接続された前記ＩＰ変換装置へ送信するステップと、前記一の電話端末に接続された前記ＩＰ変換装置が、前記再接続信号を受信し、前記再接続信号に応じた更新信号を保留状態である前記通話セッションを介して前記特定電話端末に接続された前記ＩＰ変換装置へ送信するステップと、前記特定電話端末に接続された前記ＩＰ変換装置が、前記更新信号を受信し、再接続に関する通知信号を前記特定電話端末に送信するステップと、を含む構成であってもよい。
【０００９】
前記ＩＰ電話網における通信方法は、前記一の電話端末に接続された前記ＩＰ変換装置と前記特定電話端末に接続された前記ＩＰ変換装置との間に確立された前記通話セッションが保留状態である場合において、前記特定電話端末が、再呼出信号を前記特定電話端末に接続された前記ＩＰ変換装置へ送信するステップと、前記特定電話端末に接続された前記ＩＰ変換装置による前記再呼出信号の受信に応じて、前記一の電話端末に接続された前記ＩＰ変換装置が、呼出信号を前記一の電話端末へ送信するステップと、前記一の電話端末が、再接続信号を前記一の電話端末に接続された前記ＩＰ変換装置へ送信するステップと、前記一の電話端末に接続された前記ＩＰ変換装置が、前記再接続信号を受信し、前記再接続信号に応じた更新信号を保留状態である前記通話セッションを介して前記特定電話端末に接続された前記ＩＰ変換装置へ送信するステップと、前記特定電話端末に接続された前記ＩＰ変換装置が、前記更新信号を受信し、再接続に関する通知信号を前記特定電話端末に送信するステップと、を含む構成であってもよい。
【００１０】
前記再接続信号は、オフフック信号である構成であってもよい。
【００１１】
前記ＩＰ電話網における通信方法は、前記サーバを介して前記一の電話端末に接続された前記ＩＰ変換装置と前記他の電話端末に接続された前記ＩＰ変換装置との間に前記通話セッションが確立されて前記一の電話端末と前記他の電話端末とが通話可能な状態、又は、前記一の電話端末に接続された前記ＩＰ変換装置と前記特定電話端末に接続された前記ＩＰ変換装置との間に確立された前記通話セッションが保留状態である場合において、前記特定電話端末が、切断信号を前記特定電話端末に接続された前記ＩＰ変換装置へ送信するステップと、前記特定電話端末に接続された前記ＩＰ変換装置による前記切断信号の受信に応じて、前記通話セッションが確立された前記ＩＰ変換装置及び前記サーバが、当該通話セッションを切断するステップと、を含む構成であってもよい。
【００１２】
前記ＩＰ電話網における通信方法は、前記一の電話端末に接続された前記ＩＰ変換装置と前記特定電話端末に接続された前記ＩＰ変換装置との間に確立された前記通話セッションが保留状態である場合において、前記一の電話端末に接続された前記サーバが、前記一の電話端末から送信されたさらに他の電話端末への発呼信号を受信した場合には、前記さらに他の電話端末に接続された前記サーバへの前記発呼信号の送信を抑止する構成であってもよい。
【００１３】
前記ＩＰ電話網における通信方法は、前記一の電話端末に接続された前記ＩＰ変換装置と前記特定電話端末に接続された前記ＩＰ変換装置との間に確立された前記通話セッションが保留状態である場合において、前記一の電話端末に接続された前記サーバが、さらに他の電話端末から送信された前記一の電話端末への発呼信号を受信した場合には、前記一の電話端末に接続された前記ＩＰ変換装置への前記発呼信号の送信を抑止する構成であってもよい。
【発明の効果】
【００１４】
本発明によれば、通信量を抑制しつつ保留サービスを実現することができる。
【図面の簡単な説明】
【００１５】
【図１】本発明の実施形態に係るＩＰ電話網を模式的に示す図である。
【図２】本発明の実施形態に係る本発明の実施形態に係るＩＰ変換装置を示すブロック図である。
【図３】本発明の実施形態に係るＩＰ電話網の動作例を説明するためのフローチャートである。
【図４】本発明の実施形態に係るＩＰ電話網の動作例を説明するためのフローチャートである。
【図５】本発明の実施形態に係るＩＰ電話網の動作例を説明するためのフローチャートである。
【発明を実施するための形態】
【００１６】
以下、本発明の実施形態について、適宜図面を参照しながら説明する。同様の部分には同一符号を付し、重複する説明を省略する。
【００１７】
まず、本発明の実施形態に係るＩＰ電話網について、図１及び図２を参照して説明する。図１は、本発明の実施形態に係るＩＰ電話網を模式的に示す図である。図２は、本発明の実施形態に係るＩＰ変換装置を示すブロック図である。
【００１８】
＜ＩＰ電話網＞
図１に示すように、本発明の実施形態に係るＩＰ電話網１は、電話端末である一の電話端末１０Ａ、他の電話端末１０Ｂ及び特定電話端末１０Ｃと、各電話端末１０Ａ，１０Ｂ，１０Ｃに通信可能に接続されたＩＰ変換装置２０Ａ，２０Ｂ，２０Ｃと、各ＩＰ変換装置２０Ａ，２０Ｂ，２０Ｃに通信可能に接続されたサーバ３０Ａ，３０Ｂ，３０Ｃと、各サーバ３０Ａ，３０Ｂ，３０Ｃに通信可能に接続されたサーバ４０と、を備える。すなわち、ＩＰ変換装置２０Ａ及びサーバ３０Ａは、一の電話端末１０Ａに対応して設けられており、ＩＰ変換装置２０Ｂ及びサーバ３０Ｂは、他の電話端末１０Ｂに対応して設けられており、ＩＰ変換装置２０Ｃ及びサーバ３０Ｃは、特定電話端末１０Ｃに対応して設けられている。
【００１９】
≪電話端末≫
一の電話端末１０Ａ及び他の電話端末１０Ｂは、住宅等に設置される据置型の電話機等であり、着呼音等を発するためのスピーカ、受話器が架けられるフック、及び電話番号等を入力するためのボタンを有する本体部と、通話用のマイク及びスピーカを有する受話器と、を備える。ユーザが一の電話端末１０Ａの受話器をフックから上げると、一の電話端末１０Ａは、オフフック信号をＩＰ変換装置２０Ａへ送信する。また、ユーザが一の電話端末１０Ａの受話器をフック上に置くと、一の電話端末１０Ａが、オンフック信号をＩＰ変換装置２０Ａへ送信する。
【００２０】
特定電話端末１０Ｃは、警察署、消防署等に設置された電話機、いわゆる緊急呼受付台であり、着呼音、通話音等を発するためのスピーカ、電話番号等を入力するためのボタン、ディスプレイ、及び、通話用のマイクを備える。かかる特定電話端末１０Ｃへの呼は緊急を要する呼、いわゆる緊急呼であるため、一の電話端末１０Ａのユーザの誤操作等によって特定電話端末１０Ｃとの通話が切断された場合には、速やかに通話状態が回復されることが望ましい。
【００２１】
≪ＩＰ変換装置≫
ＩＰ変換装置２０Ａ，２０Ｂ，２０Ｃは、アナログ端末又はＩＳＤＮ端末である各電話端末１０Ａ，１０Ｂ，１０Ｃから送信された音声信号等をＩＰパケット化し、ＩＰパケット化済み信号を通話先の電話端末に接続されたＩＰ変換装置へ送信したり、通話先の電話端末に接続されたＩＰ変換装置から送信されたＩＰパケット化済み信号を受信し、受信されたＩＰパケット化済み信号を復号して各電話端末１０Ａ，１０Ｂ，１０Ｃへ送信したりする装置である。
【００２２】
図２に示すように、ＩＰ変換装置２０Ａは、ＳＩＰセッションに関する機能部として、ＳＩＰセッション制御部２１と、記憶部２２と、特定呼判定部２３と、を備える。
【００２３】
ＳＩＰセッション制御部２１は、ＩＰ変換装置２０Ａと通話先の電話端末に接続されたＩＰ変換装置との間の通話セッションであるＳＩＰ（Session Initiation Protocol）セッションを確立したり切断したりするものであって、例えば、一の電話端末１０Ａから送信された発呼信号を受信し、かかる発呼信号に応じてＩＮＶＩＴＥ信号をサーバ３０Ａを介して発呼先の電話端末に接続されたＩＰ変換装置へ転送するとともに、発呼先の電話端末に接続されたＩＰ変換装置から送信された応答信号を受信したり、発呼先の電話端末に接続されたＩＰ変換装置から送信された発呼信号に応じたＩＮＶＩＴＥ信号を受信し、ＩＮＶＩＴＥ信号に応じた応答信号をサーバ３０Ａへ返信するとともに着呼信号を一の電話端末１０Ａへ送信したりすることによって、ＩＰ変換装置２０Ａと通話先の電話端末に接続されたＩＰ変換装置との間にＳＩＰセッションを確立する。また、ＳＩＰセッション制御部２１は、一の電話端末１０Ａが通話中である場合において、一の電話端末１０Ａから送信された切断信号（オンフック信号）を受信し、受信した切断信号を特定呼判定部２３へ出力する。
【００２４】
記憶部２２には、特定電話端末１０Ｃの電話番号が予め記憶されている。
【００２５】
特定呼判定部２３は、発呼信号に含まれる、通話先の電話端末の電話番号を一時的に記憶しており、一の電話端末１０Ａから送信された切断信号を受信した場合に、記憶部２２を参照して、切断された通話先が特定電話端末１０Ｃであるか否かを判定する（特定呼判定）。
【００２６】
≪サーバ≫
サーバ３０Ａ，３０Ｂ，３０Ｃは、各電話端末１０Ａ，１０Ｂ，１０Ｃに接続されたサーバであり、プロキシ動作によってＩＰ変換装置間の通話セッション、本実施形態ではＳＩＰ（Session Initiation Protocol）セッションを確立してＩＰ変換装置間のＳＩＰ信号の送受信を可能とするＳＩＰプロキシサーバ等のＩＰ電話サーバである。なお、図１においては、サーバ３０Ａ，３０Ｂ，３０Ｃには一組の電話端末及びＩＰ変換装置のみが接続されているが、実際には、サーバ３０Ａ，３０Ｂ，３０Ｃは、複数組の電話端末及びＩＰ変換装置を収容しており、予め記憶されたＩＰアドレス等を用いて、一対のＩＰ変換装置間にＳＩＰセッションを確立する。
【００２７】
サーバ４０は、サーバ３０Ａ，３０Ｂ，３０Ｃの間に設けられた中継サーバである。
【００２８】
≪通話開始時の動作例≫
ここで、一の電話端末１０Ａのユーザが特定電話端末１０Ｃへ電話をかけた場合の動作例について説明する。
【００２９】
まず、一の電話端末１０Ａのユーザが受話器を上げると、一の電話端末１０Ａは、オンフック信号をＩＰ変換装置２０Ａへ送信する。続いて、一の電話端末１０Ａのユーザがボタンを操作して特定電話端末１０Ｃの電話番号を入力すると、一の電話端末１０Ａは、当該電話番号を含む発呼信号を送信する。ＩＰ変換装置２０Ａは、発呼信号を受信すると、発呼信号に応じたＩＮＶＩＴＥ信号（ＩＰ変換装置２０ＡのＩＰアドレスを含む）を送信する。送信されたＩＮＶＩＴＥ信号は、サーバ３０Ａ、サーバ４０及びサーバ３０Ｃを介してＩＰ変換装置２０Ｃへ転送される。
【００３０】
ＩＰ変換装置２０Ｃは、ＩＮＶＩＴＥ信号を受信すると、ＩＮＶＩＴＥ信号に応じた応答信号（ＩＰ変換装置２０ＣのＩＰアドレスを含む）を送信する。送信された応答信号は、サーバ３０Ｃ、サーバ４０、サーバ３０Ａ及びＩＰ変換装置２０Ａへ転送され、ＩＰ変換装置２０ＡとＩＰ変換装置２０Ｃとの間に、サーバ３０Ａ、サーバ４０及びサーバ３０Ｃを介したＳＩＰセッションが確立される。
【００３１】
また、ＩＰ変換装置２０Ｃは、着呼信号を特定電話端末１０Ｃへ送信する。特定電話端末１０Ｃが着呼信号を受信すると、特定電話端末１０Ｃのスピーカが、着呼音を発生する。続いて、特定電話端末１０Ｃのユーザがボタンを操作すると、特定電話端末１０Ｃは、着呼音の発生を停止するとともに通話開始信号を送信する。送信された通話開始信号は、ＩＰ変換装置２０Ｃ、サーバ３０Ｃ、サーバ４０、サーバ３０Ａ及びＩＰ変換装置２０Ａを介して一の電話端末１０Ａへ転送され、一の電話端末１０Ａ及び特定電話端末１０Ｃ間での通話が可能となる。ＩＰ変換装置２０Ａ及びＩＰ変換装置２０Ｃは、互いのＩＰアドレスを認識しているので、サーバ３０Ｃ、サーバ４０及びサーバ３０Ａを介さずにＩＰパケット化済み信号を直接送受信することができる。
【００３２】
＜動作例＞
続いて、本発明の実施形態に係るＩＰ電話網１における通信方法について、図３から図５を参照して説明する。
【００３３】
≪保留及び自動再接続≫
始めに、図３を参照して、本発明の実施形態に係るＩＰ電話網１におけるＳＩＰセッション保留及び自動再接続に関する通信方法について説明する。
【００３４】
まず、前記した動作によって、一の電話端末１０Ａに接続されたＩＰ変換装置２０Ａと特定電話端末１０Ｃに接続されたＩＰ変換装置２０Ｃとの間にＳＩＰセッションが確立され、一の電話端末１０Ａと特定電話端末１０Ｃとが通話中となっている（ステップＳ１１）。かかる状態において、一の電話端末１０Ａのユーザが受話器をフック上に置くと、一の電話端末１０Ａは、オンフック信号（切断信号）をＩＰ変換装置２０Ａへ送信する（ステップＳ１２）。
【００３５】
ＩＰ変換装置２０Ａは、オンフック信号を受信すると、通話開始時に受信した発呼信号に含まれる電話番号と、予め記憶された特定電話端末の電話番号と、に基づいて、通話先が特定電話端末であるか否かを判定する（特定呼判定、ステップＳ１３）。
【００３６】
通話先が特定電話端末である場合には、ＩＰ変換装置２０Ａは、ユーザが特定電話端末への通話を切断した旨を示す更新信号（以下、ユーザ切断に関する更新信号ともいう）を送信する。送信された更新信号は、サーバ３０Ａ、サーバ４０及びサーバ３０Ｃを介してＩＰ変換装置２０Ｃへ転送される（ステップＳ１４ａ〜Ｓ１４ｄ）。
【００３７】
ＩＰ変換装置２０Ｃは、ユーザ切断に関する更新信号を受信すると、ユーザ切断に関する通知信号を特定電話端末１０Ｃへ送信する（ステップＳ１５）。また、ＩＰ変換装置２０Ｃは、ユーザ切断に関する更新信号に接続された応答信号を送信する。送信された応答信号は、サーバ３０Ｃ、サーバ４０及びサーバ３０Ａを介してＩＰ変換装置２０Ａへ転送される（ステップＳ１６ａ〜Ｓ１６ｄ）。
【００３８】
かかる状態において、ＩＰ変換装置２０Ａ，サーバ３０Ａ，サーバ４０、サーバ３０Ｃ及びＩＰ変換装置２０Ｃ間に確立されたＳＩＰセッションは、切断されず保留状態となる（ステップＳ１７）。なお、本発明において、『ＳＩＰセッションが保留状態』とは、電話端末間の通話が切断されたにも関わらず、通話の際にＳＩＰ信号を送受信するために用いられたＩＰ変換装置間のＳＩＰセッションが確立された状態が維持されることをいう。
【００３９】
ＳＩＰセッション保留状態において、一の電話端末１０Ａのユーザが受話器をフックから持ち上げると、一の電話端末１０Ａは、オフフック信号（再接続信号）をＩＰ変換装置２０Ａへ送信する（ステップＳ１８）。
【００４０】
ＩＰ変換装置２０Ａは、再接続に関する更新信号を送信する。送信された更新信号は、サーバ３０Ａ、サーバ４０及びサーバ３０Ｃを介してＩＰ変換装置２０Ｃへ転送される（ステップＳ１９ａ〜Ｓ１９ｄ）。
【００４１】
ＩＰ変換装置２０Ｃは、再接続に関する更新信号を受信すると、再接続に関する通知信号を特定電話端末１０Ｃへ送信する（ステップＳ２０）。また、ＩＰ変換装置２０Ｃは、再接続に関する更新信号に接続された応答信号を送信する。送信された応答信号は、サーバ３０Ｃ、サーバ４０及びサーバ３０Ａを介してＩＰ変換装置２０Ａへ転送される（ステップＳ２１ａ〜Ｓ２１ｄ）。
【００４２】
かかる状態において、一の電話端末１０Ａと特定電話端末１０Ｃとが通話可能となる（ステップＳ２２）。
【００４３】
≪保留中の発信及び着信抑止≫
なお、ステップＳ１７におけるＳＩＰセッション保留状態において、一の電話端末１０Ａは、他の電話端末１０Ｂへの発呼及び他の電話端末１０Ｂからの着呼を行うことができない。すなわち、サーバ３０Ａは、ＳＩＰセッション保留状態において一の電話端末１０Ａからの発呼信号を受信した場合には、サーバ４０を介したサーバ３０Ｂへの発呼信号の送信を抑止する。また、サーバ３０Ａは、ＳＩＰセッション保留状態において他の電話端末１０Ｂからの発呼信号を受信した場合には、ＩＰ変換装置２０Ａへの発呼信号の送信を抑止する。
【００４４】
≪保留及び再呼出≫
続いて、図４を参照して、本発明の実施形態に係るＩＰ電話網１における保留及び再呼出に関する通信方法について説明する。なお。本動作例におけるステップＳ３１〜Ｓ３７は、前記したステップＳ１１〜Ｓ１７と同一であるため、説明を省略する。
【００４５】
ステップＳ３７のＳＩＰセッション保留状態において、特定電話端末１０Ｃのユーザがボタン操作を行うと、特定電話端末１０Ｃは、再呼出信号をＩＰ変換装置２０Ｃへ送信する（ステップＳ３８）。ＩＰ変換装置２０Ｃは、再呼出信号を受信すると、再呼出に関する更新信号を送信する。送信された更新信号は、サーバ３０Ｃ、サーバ４０及びサーバ３０Ａを介してＩＰ変換装置２０Ａへ転送される（ステップＳ３９ａ〜Ｓ３９ｄ）。
【００４６】
ＩＰ変換装置２０Ａは、再呼出に関する更新信号を受信すると、呼出信号を特定電話端再呼出に関する通知信号を一の電話端末１０Ａへ送信する（ステップＳ４０）。また、ＩＰ変換装置２０Ａは、再呼出に関する更新信号に接続された応答信号を送信する。送信された応答信号は、サーバ３０Ａ、サーバ４０及びサーバ３０Ｃを介してＩＰ変換装置２０Ｃへ転送される（ステップＳ４１ａ〜Ｓ４１ｄ）。ＩＰ変換装置２０Ｃは、応答信号を受信すると、呼出中信号を特定電話端末１０Ｃへ送信する（ステップＳ４２）。特定電話端末１０Ｃが呼出中信号を受信すると、特定電話端末１０Ｃのディスプレイが、呼出中である旨を表示する。
【００４７】
かかる状態において、一の電話端末１０Ａのユーザが受話器をフックから持ち上げると、一の電話端末１０Ａは、オフフック信号（再接続信号）をＩＰ変換装置２０Ａへ送信する（ステップＳ４３）。
【００４８】
ＩＰ変換装置２０Ａは、オフフック信号を受信すると、再接続に関する更新信号を送信する。送信された更新信号は、サーバ３０Ａ、サーバ４０及びサーバ３０Ｃを介してＩＰ変換装置２０Ｃへ転送される（ステップＳ４４ａ〜Ｓ４４ｄ）。
【００４９】
ＩＰ変換装置２０Ｃは、再接続に関する更新信号を受信すると、再接続に関する更新信号に接続された応答信号を送信する。送信された応答信号は、サーバ３０Ｃ、サーバ４０及びサーバ３０Ａを介してＩＰ変換装置２０Ａへ転送される（ステップＳ４５ａ〜Ｓ４５ｄ）。
【００５０】
かかる状態において、一の電話端末１０Ａと特定電話端末１０Ｃとが通話可能となる（ステップＳ４６）。
【００５１】
≪切断≫
続いて、図５を参照して、本発明の実施形態に係るＩＰ電話網１における切断に関する通信方法について説明する。
【００５２】
まず、前記した動作によって、一の電話端末１０Ａと特定電話端末１０Ｃとの間にＳＩＰセッションが確立され、通話中となっている（ステップＳ５１）。かかる状態において、特定電話端末１０Ｃのユーザがボタン操作を行うと、特定電話端末１０Ｃは、切断信号をＩＰ変換装置２０Ｃへ送信する（ステップＳ５２）。
【００５３】
ＩＰ変換装置２０Ｃは、切断信号を受信すると、切断に関する更新信号を送信する。送信された更新信号は、サーバ３０Ｃ、サーバ４０及びサーバ３０Ａを介してＩＰ変換装置２０Ａへ転送される（ステップＳ５３ａ〜Ｓ５３ｄ）。また、ＩＰ変換装置２０Ｃは、開放信号を特定電話端末１０Ｃへ送信する（ステップＳ５４）。
【００５４】
特定電話端末１０Ｃは、開放信号を受信すると、開放完了信号をＩＰ変換装置２０Ｃへ送信する（ステップＳ５５）。
【００５５】
一方、ＩＰ変換装置２０Ｃは、切断に関する更新信号を受信すると、切断に関する通知信号を一の電話端末１０Ａへ送信する（ステップＳ５６）。また、ＩＰ変換装置２０Ａは、切断に関する更新信号に接続された応答信号を送信する。送信された応答信号は、サーバ３０Ａ、サーバ４０及びサーバ３０Ｃを介してＩＰ変換装置２０Ａへ転送される（ステップＳ５７ａ〜Ｓ５７ｄ）。
【００５６】
かかる状態において、ＩＰ変換装置２０Ａ，サーバ３０Ａ，サーバ４０、サーバ３０Ｃ及びＩＰ変換装置２０Ｃ間に確立されたＳＩＰセッションは、切断されて開放される。
【００５７】
なお、一の電話端末１０Ａが切断に関する通知信号を受信すると、一の電話端末１０Ａの受話器のスピーカが、切断音を発生する。続いて、一の電話端末１０Ａのユーザが受話器をフック上に置くと、一の電話端末１０Ａは、切断音の発生を停止するとともにオフフック信号をＩＰ変換装置２０Ａへ送信する（ステップＳ５８）。
【００５８】
本発明の実施形態に係るＩＰ電話網１における通信方法によれば、特定電話端末１０Ｃとの通話において、一の電話端末１０Ａが切断信号を送信した場合にのみＩＰ変換装置２０Ａが特定呼判定を行うので、特定電話端末１０Ｃ側のＩＰ変換装置２０Ｃ又はサーバ３０Ｃが常に特定呼判定を行い、特定呼である場合にその旨を一の電話端末に接続されたＩＰ変換装置へ必ず送信する従来技術と比べて、通信量を抑制しつつＳＩＰセッションの保留サービスを実現することができる。
また、本発明の実施形態に係るＩＰ電話網１における通信方法によれば、保留状態において一の電話端末１０Ａがオンフック信号を送信した場合には、保留状態のＳＩＰセッションを用いてＳＩＰ信号の送受信を行い、一の電話端末１０Ａと特定電話端末１０Ｃとを通話可能に接続するので、一の電話端末１０Ａのユーザが他の電話端末２０Ｂへ通話しようとすることを防ぎ、特定呼（例えば、緊急呼）を好適に継続することができる。
また、本発明の実施形態に係るＩＰ電話網１における通信方法によれば、保留状態において特定電話端末１０Ｃが再呼出信号を送信した場合には、一の電話端末１０Ａが着呼音を発生し、着呼音に気付いた一の電話端末１０Ａのユーザが受話器をフックから上げることによって、保留状態のＳＩＰセッションを用いてＳＩＰ信号の送受信を行い、一の電話端末１０Ａと特定電話端末１０Ｃとを通話可能に接続するので、特定呼を好適に継続することができる。
また、本発明の実施形態に係るＩＰ電話網１における通信方法によれば、保留状態において一の電話端末１０Ａが特定電話端末１０Ｃ以外の電話端末に発呼したり特定電話端末１０Ｃ以外の電話端末から着呼したりすることを防ぐので、特定呼を好適に継続することができる。
また、本発明の実施形態に係るＩＰ電話網１における通信方法によれば、一の電話端末１０Ａにおけるオフフック信号を再接続信号として用いるので、一の電話端末１０Ａと特定電話端末１０Ｃとの再接続を好適に行うことができる。
【００５９】
以上、本発明の実施形態について説明したが、本発明は前記実施形態に限定されず、本発明の要旨を逸脱しない範囲で適宜設計変更可能である。例えば、ＩＰ変換装置２０Ａ，２０Ｂ，２０Ｃは、各電話端末１０Ａ，１０Ｂ，１０Ｃと一体的に設けられていてもよい。また、図５のフローにおけるＳＩＰセッション切断は、ＳＩＰセッション保留状態においても実行可能である。
【符号の説明】
【００６０】
１      ＩＰ電話網
１０Ａ  一の電話端末
１０Ｂ  他の電話端末
１０Ｃ  特定電話端末
２０Ａ，２０Ｂ，２０Ｃ  ＩＰ変換装置
３０Ａ，３０Ｂ，３０Ｃ，４０  サーバ
【図１】
2011119881.tif 000003
【図２】
2011119881.tif 000004
【図３】
2011119881.tif 000005
【図４】
2011119881.tif 000006
【図５】
2011119881.tif 000007